(57)【要約】【課題】利用者に災害発生警告、災害発生情報を確実に伝達し、また、利用者それぞれに最適な災害対応指示、避難指示及び避難誘導機能を有する利用者にとって視覚的に確認しやすい防災システムを供給する。【解決手段】持ち出し可能な情報受信及び避難行動支援端末であるタブレット端末を固定電話に角度調整可能な構造で有線接続、または、無線で接続し、予めタブレット端末に、各利用者に合わせて設定した災害警告、災害対応、避難指示及び避難経路誘導コードとそれらのコードに対する詳細情報に保存し、災害が予想された場合や、災害が実際に発生した場合は、有線電話線を含む有線、無線通信手段を用いて利用者に災害警告、災害発生情報を確実に伝達し、災害対応、避難指示及び避難経路誘導をするシステムを供給する。【選択図】図２
2016035730.tif 000002
【特許請求の範囲】
【請求項１】
タブレット端末と固定電話機を有線または無線手段で接続してシステムを構成し、災害が予想されて警告が必要な時、又は災害発生時に、無線通信手段だけでなく、固定電話有線回線を通して当該する固定電話及び接続されたタブレット端末に災害予報情報と警告及び災害発生時の情報伝達、対応についての指示、また、避難指示及び避難誘導する機能を備えることを特徴とする防災システム。
【請求項２】
災害を管理する危機管理対策機構は、上記システム利用者の利用エリア及び利用者の具体的な情報に基づき、災害が発生する場合の災害の内容、災害レベルに合わせて防災、避難コードを設け、また、上記システムの固定電話と固定電話に接続されるタブレット端末には、各防災、各避難コードに対する災害発生時の各ケースに対する対応指示、避難経路など情報を予め設定して保存し、災害発生が予想されて警告が必要となった場合、又は、災害発生時に、災害を管理する危機管理対策機構は無線通信だけでなく、固定電話回線を含む情報通信手段を使い、システムの固定電話機とタブレット端末に予め保存された災害避難コードに準じる災害警告時と災害発生時の対応指示、避難場所及び経路誘導指示などの機能を起動させることを特徴とする防災システム。
【請求項３】
上記システムのタブレット端末を持ち出し可能な災害状況及び指示の受領手段、避難指示と避難誘導指示の受領手段とすることを特徴とする防災システム。
【請求項４】
上記システムのタブレット端末を物理的にシステムの固定電話部分に接続して固定する場合、タブレット端末が固定電話機部分に対する角度を調整できることを特徴とする防災システム。
【発明の詳細な説明】
【発明の詳細な説明】
【技術分野】
【０００１】  本発明は、利用者に災害発生警告、災害発生の情報伝達、対応指示、避難指示及び避難誘導をする防災システムに関するものである。
【背景技術】
【０００２】  従来では、災害発生の危険性が生じた時、また、災害発生時に、災害を管理する危機管理対策機構により、災害発生地域に設置されている屋外スピーカー、または個人宅内に設置されるスピーカーを通じ、災害発生内容の通知、対応及び避難指示をする。【０００３】  また、携帯電話のキャリアーが無線通信網を使い、当該キャリアーの契約者に自然災害の発生を通知する。
【発明の概要】
【発明が解決しようとする課題】
【０００４】  しかし、上記災害を管理する危機管理対策機構は、災害予想に基づく警告を発する時、また、災害発生時に情報を伝達する時に、対応、避難指示が必要な場合は、管轄する地域のエリア、対象者の個別状況により、対応方法、避難方法、避難場所が異なることがあるので、個々対象に対してそれぞれ適切な対応、避難の指示が困難である。特に、避難する場合は、避難者が自宅などを離れてから、避難場所への経路指示、災害状況の変化による避難場所の変更指示などは、災害を管理する危機管理対策機構は個々に対して適切に指示を出すことは極めて難しい。【０００５】  携帯端末のキャリアーによる災害緊急報は携帯通信端末を契約、所持する者にしかできない。また、災害発生時の対応、避難指示は広域的な情報しか伝達できず、各地域に対する具体的な指示ができない。また、停電が起きた場合は、無線通信網が機能しなくなり、災害通知すらできなくなる恐れがある。【０００６】  また、本発明であるシステム構成である固定電話機部分にタブレット端末を有線で接続される場合、タブレット端末が固定電話機部分に対する角度が一定する場合は、ユーザーの画面への可視性が異なってくる。また、システム設備を運送する際、タブレット端末が固定電話機部分に対する角度が一定する場合は、システムが衝撃を受けやすく、破損しやすいだけでなく、運送時の全体の体積が大きくなるので、運送コストの無駄に繋がる。【０００７】  本発明は、災害発生が予測される際の警告及び災害発生の情報伝達の有効伝達率を高め、且つ、被災地域の個々対象に最適な対応、避難指示を確実に提供するシステムを供給することにある。【０００８】  本発明は、システム構成である固定電話機部分とタブレット端末を有線で接続される場合、タブレット端末画面の可視性向上と運送時の安全性及び合理性を高める手段を供給することにある。
【課題を解決するための手段】
【０００９】  本発明は、固定電話にタブレット端末を有線または無線通信で接続し、固定電話回線を通して固定電話及び接続されているタブレット端末に災害発生の予想警告、災害発生の情報伝達、対応指示及び避難指示、避難誘導をする機能を有するシステムを用いる。【００１０】  本発明は、災害を管理する危機管理対策機構に災害発生時に災害の内容、危険レベル、それから、各利用者の具体的な情報に準じる防災コードを設定し、固定電話機に有線または無線で接続されるタブレット端末には、これらの防災コードに対する災害発生時の対応指示、避難経路など情報を予め保存する。災害発生時に、災害を管理する危機管理対策機構は固定電話回線を含む情報通信手段を使い、固定電話機に有線または無線で接続されるタブレット端末に組み込まれる災害発生の予想警告、災害発生情報伝達、発生時の対応指示、避難経路指示などの機能を起動させるという方法を用いる。【００１１】  本発明は、タブレット端末をシステムの固定電話部分に有線で接続して固定する場合、タブレット端末が固定電話機部分に対する角度を調整できるような構造を用いる。
【発明の効果】
【００１２】  本発明は、災害を管理する危機管理対策機構は、上記システム利用者の利用エリア、それから、各利用者の具体的な情報に基づき、災害が発生する場合の災害の内容、災害レベルに合わせて防災、避難コードを設ける。また、上記システムの固定電話と固定電話に接続されるタブレット端末には、各防災、各避難コードに対する災害発生時の対応指示、避難経路など情報を予め設定して保存する。災害発生する恐れがある場合や、災害が実際に発生した場合は、仮に被災地域又は情報を伝達する経路に停電が起きても、普及率の高い固定電話回線を使えば、電話回線が物理的に遮断されない限り、防災、避難コードを利用者に設置しているシステムに災害発生の情報伝達、対応及び避難指示を伝達できるうえ、システムに保存されている災害対応、避難プログラムを起動させることができる。そのため、個々利用者にあう災害対応、避難行動を確実にすることができた。【００１３】  また、システムのタブレット端末を災害情報受信、避難経路誘導の持ち出し端末として、避難時にタブレット端末を持ち出して移動すれば、予めに組み込まれる避難経路誘導機能にて、より迅速、且つ正確な避難を実現できるうえ、リアルタイムに最新災害情報を入手する手段にでもなる。【００１４】  このシステムを利用し、災害の避難訓練を行えば、各利用者に自分に最適な災害対応内容への理解を深めることもできるよになった。【００１５】  タブレット端末をシステムの固定電話部分に有線で接続する場合、タブレット端末が固定電話機部分に対する角度を調整できるような構造を用いることにより、利用者は自分好みにモニターの角度を調節できるうえ、システム設備を運送する場合は、衝撃を受けにくいので、安全性を高め、更に体積を合理化することも実現できる。【００１６】  以下に説明される発明を実施するための最良の形態を添付の図面を参照して詳細に説明する。
【発明を実施するための形態】
【００１７】  以下に本発明の実施の形態について、図面を参照して説明する。
【００１８】  図１のように、固定電話機にタブレット端末を差し込むコネクタなどの有線接続設備を設け、タブレット端末が固定電話機の有線接続設備に差し込まれる時は有線接続をする。タブレット端末は固定電話機の有線接続設備から抜かれた時は、ＷｉＦｉなど無線通信手段で固定電話機に接続される。
【００１９】  危機管理対策機構は利用者のエリア、各利用者の具体的な情報に基づき、想定される各ケースの災害に対する警告、情報伝達、指示、誘導情報を作成、整理し、更に、それぞれコードを決める。これらの情報をパソコンなど危機管理対策機構の管理設備、利用者の所有するシステムのタブレット端末に事前に記録する。情報の更新があった場合は、直接タブレットに最新情報を書き込んで更新するか、有線または無線通信手段を通じて更新をする。
【００２０】  タブレット端末にバッテリーを内蔵し、地図情報、音声誘導機能、ＧＰＳ定位による経路誘導機能などを設ける。
【００２１】  図２のように、災害発生が予想された場合、または、災害が発生した場合は、災害を管理する危機管理対策機構は固定電話回線を含む情報通信手段を使い、固定電話機及びその固定電話に有線または無線で接続されるタブレット端末に警告、通知、指示、誘導コードを送信し、利用者のシステムに組み込まれる災害発生の予想警告、災害発生の通知、発生時の対応指示、避難経路指示などの機能を起動させる。
【００２２】  利用者はシステムの警告、情報伝達、対応指示、または避難命令及び避難誘導に従い、利用者にとっては最善な情報、指示を得る。
【００２３】  利用者はシステムの固定電話機設置場所を離れる場合や、避難をする場合は、タブレット端末を持ち出し、移動しながら、ＧＰＳを利用して適切な避難を実施しながら、無線通信から最新情報を入手する。
【００２４】  例えば、津波が発生した場合、利用者Ａの住むエリアの海抜、避難場所の条件、利用者Ａ及び家族の年齢、体の制限など情報に合わせて津波の予想される高さと到達時間により、危機管理対策機構のシステムは自動的に利用者Ａに最善な通知、非難場所及び避難経路誘導指示コードを利用者Ａの所有するシステムに情報伝達をし、利用者Ａ宅に設置される該システムに保存されているそのコードに対する機能を起動させ、利用者Ａに適切な情報伝達、指示、誘導を実施する。
【００２６】  利用者は避難指示を受けた場合は、タブレット端末を持ち出し、移動しながら、ＧＰＳを利用して適切な避難を実施し、また、無線通信から最新情報を入手する。
【００２６】
【図面の簡単な説明】
【００２７】
【図１】本発明のシステム設備の構成例。
【図２】本発明のシステム構成図。
【符号の説明】
【００２８】１  固定電話部分
２  タブレット端末部分
３  固定電話機受話器
４  固定電話とタブレット端末間の角度
５  電話回線
６  無線通信網
【図１】
2016035730.tif 000003
【図２】
2016035730.tif 000004